(57)【要約】    【課題】居室親機から玄関子機に送出される逆光成分の補正のための信号の変調処理を不要として、子機電源の電圧値を変化させたパルス信号のカウント値をもとに玄関子機のカメラにて撮像される映像の逆光成分を補正することにより、当該装置の構成を簡素化してコストの低減化を図る。    【解決手段】居室親機２の逆光補正信号生成回路２１１から玄関子機１の逆光補正信号検出回路１０３に供給される子機電源の電圧値を変化させた逆光補正信号を構成するパルス信号のカウント値をもとに、玄関子機のカメラ１０１にて撮像される映像の逆光成分が補正されるように映像信号生成回路１０２を制御する。また、玄関子機のカメラにて撮像される映像の逆光成分を補正中のときには、カメラにて撮像される映像をモニタ２０５に出画することなく、画面生成回路２０７にて生成される所定の色の画面及び／又は逆光補正処理中であることの表示画面を出画する。  【選択図】図１
2008178032.tif 000002
【特許請求の範囲】
【請求項１】
カメラ（１０１）を有する玄関子機（１）と、伝送路（Ｌ）を経由して接続される前記玄関子機からの呼び出しに応答して通話を成立させ、前記玄関子機のカメラにて撮像された映像を出画するためのモニタ（２０５）を有する居室親機（２）とで構成され、
前記居室親機には、当該居室親機の親機電源及び前記玄関子機の子機電源をそれぞれ生成するための親機電源回路（２１０）と、前記親機電源回路にて生成される前記子機電源の電圧値を変化させて前記玄関子機のカメラにて撮像される映像の逆光成分を補正するための逆光補正信号を生成する逆光補正信号生成回路（２１１）と、操作部（２１４）の操作により前記逆光補正信号生成回路にて前記逆光補正信号を生成させるためのＣＰＵ（２１５）とを備え、
前記玄関子機には、前記カメラにて撮像された映像を信号処理して映像信号を生成するための映像信号生成回路（１０２）と、前記逆光補正信号を受信して前記映像信号の逆光成分を補正するように前記映像信号生成回路を制御するための逆光補正信号検出回路（１０３）と、前記子機電源を充電し、前記逆光補正信号が受信されたときに前記充電された子機電源を放電するための充放電回路（１１３）と、前記充放電回路を経由して充放電された子機電源を受電するための子機電源回路（１１４）とを備えたことを特徴とするテレビドアホン装置。
【請求項２】
前記逆光補正信号は、カウント可能なパルス信号であって、前記逆光補正信号検出回路は、前記パルス信号をカウント可能なカウンタＩＣで構成したことを特徴とする請求項１記載のテレビドアホン装置。
【請求項３】
前記居室親機には、前記モニタの表示画面を生成するための画面生成回路（２０７）を備え、
前記ＣＰＵは、前記逆光補正信号の前記玄関子機への送信時に、前記カメラにて撮像される映像を前記モニタに出画することなく、所定の色の画面及び／又は逆光補正処理中であることの表示画面を前記画面生成回路にて生成させ前記モニタに出画することを特徴とする請求項１又は請求項２記載のテレビドアホン装置。
【発明の詳細な説明】
【技術分野】
【０００１】
本発明は、玄関子機のカメラにて撮像された映像を居室親機のモニタに出画するテレビドアホン装置に係り、特に、カメラにて撮像される映像の逆光成分を補正することができるテレビドアホン装置に関する。
【背景技術】
【０００２】
従来から、この種のテレビドアホン装置として、来訪者が呼出ボタンを操作した時と人体感知センサが人体を検知した時の区別を確実に行え、更に、簡単な回路構成で人体感知センサの動作を有効／無効にできるようにしたテレビインターホン装置が開示されている（例えば、特許文献１を参照。）。
【０００３】
このテレビインターホン装置において、２線式伝送線路で接続されている親機及び玄関子機のうち、親機を構成する直流電圧電源は直流電圧を出力することができ、第２の多重化分離回路は、玄関子機からの受信信号を映像信号と通話信号に分離し、親機からの通話信号を送信し、且つ第２の線間電圧変化検出回路が２線式伝送線路の線間直流電圧の変化（呼出）検知時に、直流電圧電源からの直流電圧を玄関子機に供給することができる。また、玄関子機を構成する第１の多重化分離回路は、通話信号と映像信号とを多重化し送受することができ、電源回路は、親機から供給された直流電圧を、通話回路、カメラ及び呼出信号発生回路に分配することができる。
【０００４】
【特許文献１】特開２００２−３６８８８９号公報（例えば、段落「００２１」乃至「００２６」、第１図）
【発明の開示】
【発明が解決しようとする課題】
【０００５】
背景技術に記載した特許文献１のテレビインターホン装置において、２線式伝送線路で接続されている親機及び玄関子機の間で前述の各種信号を送受信する、及び親機から玄関子機に直流電圧を供給するにあたっては、親機に第２の多重化分離回路を設ける必要があった。
【０００６】
ここで、玄関子機のカメラに入射される逆光成分を補正する機能を親機及び玄関子機にそれぞれ備えたとすると、親機にて生成される逆光成分の補正のための信号を変調処理した後、第２の多重化分離回路を経由して玄関子機に供給される直流電圧に重畳せねばならず、この信号を変調して直流電圧に重畳させるにあたっては、第２の多重化分離回路の回路構成が複雑となりコストが増大する虞があった。
【０００７】
また、玄関子機においても、親機から供給されてくる直流電圧と当該直流電圧に重畳された変調信号とを分離し、分離された変調信号を復調する必要があることから、当顔玄関子機の回路構成が複雑となりコストが増大する虞があった。
【０００８】
本発明は、この難点を解消するためになされたもので、居室親機から玄関子機に送出される逆光成分の補正のための信号の変調処理を不要として、子機電源の電圧値を変化させたパルス信号のカウント値をもとに玄関子機のカメラにて撮像される映像の逆光成分を補正することにより、当該装置の構成を簡素化してコストの低減化を図ることができるテレビドアホン装置を提供することを目的としている。
【課題を解決するための手段】
【０００９】
前述の目的を達成するため、本発明の第１の態様であるテレビドアホン装置は、カメラを有する玄関子機と、伝送路を経由して接続される玄関子機からの呼び出しに応答して通話を成立させ、玄関子機のカメラにて撮像された映像を出画するためのモニタを有する居室親機とで構成されている。居室親機には、居室親機の親機電源及び玄関子機の子機電源をそれぞれ生成するための親機電源回路と、親機電源回路にて生成される子機電源の電圧値を変化させて玄関子機のカメラにて撮像される映像の逆光成分を補正するための逆光補正信号を生成する逆光補正信号生成回路と、操作部の操作により逆光補正信号生成回路にて逆光補正信号を生成させるためのＣＰＵとを備えている。玄関子機には、カメラにて撮像された映像を信号処理して映像信号を生成するための映像信号生成回路と、逆光補正信号を受信して映像信号の逆光成分を補正するように映像信号生成回路を制御するための逆光補正信号検出回路と、子機電源を充電し、逆光補正信号が受信されたときに充電された子機電源を放電するための充放電回路と、充放電回路を経由して充放電された子機電源を受電するための子機電源回路とを備えている。
【００１０】
また、本発明の第２の態様であるテレビドアホン装置は、本発明の第１の態様において、逆光補正信号は、カウント可能なパルス信号であって、逆光補正信号検出回路は、パルス信号をカウント可能なカウンタＩＣで構成したものである。
【００１１】
また、本発明の第３の態様であるテレビドアホン装置は、本発明の第１の態様又は第２の態様において、居室親機には、モニタの表示画面を生成するための画面生成回路を備えている。ＣＰＵは、逆光補正信号の玄関子機への送信時に、カメラにて撮像される映像をモニタに出画することなく、所定の色の画面及び／又は逆光補正処理中であることの表示画面を画面生成回路にて生成させモニタに出画するものである。
【発明の効果】
【００１２】
本発明のテレビドアホン装置によれば、居室親機から玄関子機に供給される子機電源の電圧値を変化させた逆光補正信号を構成するパルス信号のカウント値をもとに、玄関子機のカメラにて撮像される映像の逆光成分を補正することができることから、居室親機から玄関子機に送出される逆光補正信号の変調処理が不要となり、その変調処理に必要とされる回路も不要となるため回路構成を簡素化できる。
【００１３】
また、玄関子機においても、居室親機から供給されてくる直流電圧には、逆光補正信号を変調処理した変調信号が重畳されることはなく、この変調信号の復調処理が不要となることから、当顔玄関子機の回路構成を簡素化でき、ゆえに、当該装置全体のコストが低減される。
【００１４】
また、本発明のテレビドアホン装置によれば、玄関子機のカメラにて撮像される映像の逆光成分を補正中のときには、カメラにて撮像される映像をモニタに出画することなく、所定の色の画面及び／又は逆光補正処理中であることの表示画面が出画されることにより、居住者に不快感を与えずに逆光成分の補正が可能となる。
【発明を実施するための最良の形態】
【００１５】
以下、本発明のテレビドアホン装置を適用した最良の実施の形態例について、図面を参照して説明する。
【００１６】
図１は、本発明の実施例によるテレビドアホン装置の具体的な構成を示す回路ブロック図である。このテレビドアホン装置は、玄関に設置される玄関子機１と、住戸内に設置され伝送路Ｌを経由して玄関子機１に接続された居室親機２とで構成されている。なお、伝送路Ｌは、呼出・通話ラインＬ1、２線の電源・映像ラインＬ2、Ｌ3、表示器駆動ラインＬ4及びアースラインＬ5により構成されている。
【００１７】
玄関子機１には、呼出ボタン１００、カメラ１０１、映像信号生成回路１０２、逆光補正信号検出回路１０３、映像変調回路１０４、子機マイク１０５、子機スピーカ１０６、子機通話回路１０７、戸外表示器１０８、２つの子機インピーダンス制御回路（以下、第１、第２の各子機インピーダンス制御回路という。）１０９、１１０、２つの整流ダイオード（以下、第１、第２の各整流ダイオードという。）１１１、１１２、充放電回路１１３及び子機電源回路１１４が備えられている。
【００１８】
この玄関子機１において、呼出ボタン１００は、玄関に居る人物、例えば、来訪者が住戸内に在室中の居住者を呼び出すために操作するものであり、伝送路Ｌを構成する呼出・通話ラインＬ1に接続されている。
【００１９】
カメラ１０１は、呼出操作を行った来訪者の映像（玄関の周囲近傍の映像を含む。）を撮像するためのものであり、例えば、ＣＣＤ、ＣＭＯＳ等の各種の撮像媒体が好適とされる。また、映像信号生成回路１０２は、カメラ１０１にて撮像された映像を信号処理して電気信号の映像信号を生成するためのものである。また、逆光補正信号検出回路１０３は、映像信号生成回路１０２にて生成される映像信号の逆光成分を補正するように、当該映像信号生成回路を制御するためのものであり、カウンタＩＣで構成されている。さらに、映像変調回路１０４は、映像信号生成回路１０２にて生成された映像信号をＦＭ変調し、平衡映像信号として送出するためのものであり、伝送路Ｌを構成する２線の電源・映像ラインＬ2、Ｌ3にそれぞれ接続されている。
【００２０】
子機マイク１０５及び子機スピーカ１０６は、来訪者が居住者との間で通話を成立させるための音声（送話音声、受話音声）を入出力するものである。また、子機通話回路１０７は、子機マイク１０５及び子機スピーカ１０６にて入出力される音声である電気信号の音声信号について４線／２線変換、２線／４線変換、増幅等、所定の信号処理を行うためのものであり、伝送路Ｌを構成する呼出・通話ラインＬ1に接続されている。
【００２１】
戸外表示器１０８は、玄関の周囲近傍に居る不審者、例えば、泥棒等を威嚇する、又は住戸内にて発生した例えば、火災やガス漏れ等のセキュリティ異常を警報発報するために点滅されるものであり、伝送路Ｌを構成する表示器駆動ラインＬ4に接続されている。
【００２２】
第１、第２の各子機インピーダンス制御回路１０９、１１０はそれぞれ、伝送路Ｌを構成する２線の電源・映像ラインＬ2、Ｌ3への交流電圧・信号の送出を遮断するためにインピーダンス値を制御するとともに、映像変調回路１０４から第１、第２の整流ダイオード１１１、１１２への平衡映像信号の送出を遮断するためにインピーダンス値を制御するものである。また、第１、第２の各子機インピーダンス制御回路１０９、１１０はそれぞれ、前述の機能の他に、伝送路Ｌを構成する電源・映像ラインＬ2を経由して居室親機２から供給されてくる子機電源（後述する逆光補正信号を含む。）を受電して第１、第２の各整流ダイオード１１１、１１２に供給（送出）することができる。
【００２３】
第１の整流ダイオード１１１は、第１の子機インピーダンス制御回路１０９から逆光補正信号検出回路１０３への電源ラインを形成するためのものである。また、第２の整流ダイオード１１２は、第１の子機インピーダンス制御回路１０９から充放電回路１１３への電源ラインを形成するためのものである。
【００２４】
充放電回路１１３は、第２の整流ダイオード１１２を経由して供給されてくる居室親機２からの子機電源を充電し、充電された子機電源を居室親機２の後述する逆光補正信号生成回路２１１からの逆光補正信号を受信したときに放電し、子機電源回路１１４に供給するためのものである。また、子機電源回路１１４は、充放電回路１１３を経由して充放電された子機電源を受電し、当該玄関子機の構成各部／回路にそれぞれ供給するためのものである。
【００２５】
また、居室親機２には、呼出検出回路２００、親機マイク２０１、親機スピーカ２０２、親機通話回路２０３、呼出・通話切替回路２０４、モニタ２０５、映像復調回路２０６、画面生成回路２０７、出画内容切替回路２０８、表示器駆動回路２０９、親機電源回路２１０、逆光補正信号生成回路２１１、２つの親機インピーダンス制御回路（以下、第１、第２の各親機インピーダンス制御回路という。）２１２、２１３、操作部２１４及びＣＰＵ２１５が備えられている。
【００２６】
この居室親機２において、呼出検出回路２００は、来訪者による玄関子機１の呼出ボタン１００の操作の有無を検出するためのものであり、呼出・通話切替回路２０４を経由して伝送路Ｌを構成する呼出・通話ラインＬ1と、ＣＰＵ２１５とにそれぞれ接続されている。
【００２７】
親機マイク２０１及び親機スピーカ２０２は、居住者が来訪者との間で通話を成立させるための音声（送話音声、受話音声）を入出力するものである。また、親機通話回路２０３は、ＣＰＵ２１５により制御され、親機マイク２０１及び親機スピーカ２０２にて入出力される音声である電気信号の音声信号について４線／２線変換、２線／４線変換、増幅等、所定の信号処理を行うためのものであり、呼出・通話切替回路２０４を経由して伝送路Ｌを構成する呼出・通話ラインＬ1と、ＣＰＵ２１５とにそれぞれ接続されている。なお、親機スピーカ２０２は、前述の通話機能の他に、来訪者からの呼び出しがある旨の呼出音や音声メッセージ等を放音することができる。
【００２８】
呼出・通話切替回路２０４は、ＣＰＵ２１５の制御により切り替えられ、伝送路Ｌを構成する呼出・通話ラインＬ1から呼出検出回路２００への信号ライン、及び伝送路Ｌを構成する呼出・通話ラインＬ1と親機通話回路２０３との間の信号ライン（通話ライン）のうち何れか一方の信号ラインを形成するためのものである。
【００２９】
モニタ２０５は、ＣＰＵ２１５の制御により出画状態に制御され、玄関子機１のカメラ１０１にて撮像された映像、或いは、所定の色の画面及び／又は逆光補正中であることの表示画面を出画するためのものであり、例えば、ＬＣＤ、ＰＤＰ、有機ＥＬディスプレイ等の各種の表示媒体が好適とされる。また、映像復調回路２０６は、ＣＰＵ２１５により制御され、伝送路Ｌを構成する２線の電源・映像ラインＬ2、Ｌ3をそれぞれ経由して伝送されてくる玄関子機１からの映像信号をＦＭ復調するためのものである。さらに、画面生成回路２０７は、ＣＰＵ２１５により制御され、モニタ２０５に出画させる所定の色の画面及び／又は逆光補正中であることの表示画面を生成するためのものである。
【００３０】
出画内容切替回路２０８は、ＣＰＵ２１５の制御により切り替えられ、映像復調回路２０６からモニタ２０５への信号ライン、及び画面生成回路２０７からモニタ２０５への信号ラインのうち何れか一方の信号ラインを形成するためのものである。
【００３１】
表示器駆動回路２０９は、ＣＰＵ２１５により制御され、玄関子機１の戸外表示器１０８を点滅させるための駆動信号を生成するものであり、伝送路Ｌを構成する表示器駆動ラインＬ4に接続されている。
【００３２】
親機電源回路２１０は、ＣＰＵ２１５により制御され、例えば、商用電源に接続されており、この商用電源について整流・平滑させた居室親機２の親機電源を生成し、当該居室親機の構成各部／回路にそれぞれ供給するとともに、玄関子機１の子機電源を生成するためのものである。また、逆光補正信号生成回路２１１は、ＣＰＵ２１５により制御され、親機電源回路２１０にて生成される子機電源の電圧値を変化させて玄関子機１のカメラ１０１にて撮像される映像の逆光成分を補正するための逆光補正信号を生成するものである。なお、逆光補正信号生成回路２１１にて生成される逆光補正信号は、玄関子機１の逆光補正信号検出回路１０３にてカウント可能なパルス信号である。
【００３３】
第１、第２の各親機インピーダンス制御回路２１２、２１３はそれぞれ、伝送路Ｌを構成する２線の電源・映像ラインＬ2、Ｌ3を経由して玄関子機１から伝送されてくる映像信号のインピーダンス値を上昇させて映像復調回路２０６に送出するとともに、伝送路Ｌを構成する２線の電源・映像ラインＬ2、Ｌ3への交流電圧・信号の送出を遮断するためにインピーダンス値を制御するものである。また、第１、第２の各親機インピーダンス制御回路２１２、２１３はそれぞれ、前述の機能の他に、親機電源回路２１０から逆光補正信号生成回路２１１を経由して供給されてくる子機電源（逆光補正信号）を受電して、伝送路Ｌを構成する２線の電源・映像ラインＬ2、Ｌ3に重畳させて供給（送出）することができる。
【００３４】
操作部２１４は、来訪者からの呼び出しがあることを確認した居住者が当該来訪者との間で通話を成立させるための操作（応答操作）、玄関子機１の戸外表示器１０８を点滅させるための操作、逆光補正信号生成回路２１１にて逆光補正信号を生成させるための操作等が行われるものであり、これらの操作は、ＣＰＵ２１５にて検出される。
【００３５】
ＣＰＵ２１５は、当該居室親機の構成各部／回路をそれぞれ制御するためのものである。
【００３６】
このように構成された本発明の実施例によるテレビドアホン装置において、以下、具体的な動作について説明する。
【００３７】
図１に示すテレビドアホン装置が待受状態、すなわち、来訪者により玄関子機１の呼出ボタン１００が操作されておらず通話も成立していない状態において、居室親機２の呼出・通話切替回路２０４は、ＣＰＵ２１５の制御により伝送路Ｌを構成する呼出・通話ラインＬ1が呼出検出回路２００に接続されるように切り替えられている。また、同様な待受状態において、出画内容切替回路２０８は、ＣＰＵ２１５の制御により映像復調回路２０６がモニタ２０５に接続されるように切り替えられている。
【００３８】
前述のような待受状態のとき、来訪者が居住者を呼び出すために玄関子機１の呼出ボタン１００を操作すると、この呼出ボタン１００から伝送路Ｌを構成する呼出・通話ラインＬ1、居室親機２の呼出・通話切替回路２０４を経由して呼出検出回路２００に呼出信号が伝送される。
【００３９】
居室親機２の呼出検出回路２００は、玄関子機１からの呼出信号を受信すると、来訪者による呼び出しがあったことを検出し、その旨の呼出検出信号を生成してＣＰＵ２１５に送出する。この呼出検出信号を受信したＣＰＵ２１５は、親機電源回路２１０を制御して、当該居室親機の構成各部／回路が動作可能な所定の電圧レベル（詳述せず。）の親機電源を生成させるとともに、来訪者からの呼び出しがある旨の呼出音や音声メッセージ等を生成して親機スピーカ２０２から放音させ、さらには、モニタ２０５を出画可能な状態に制御することができる。なお、ＣＰＵ２１５は、出画可能な状態に制御したモニタ２０５に、来訪者からの呼び出しがある旨の呼出メッセージや絵データ等を表示させることもできる。
【００４０】
また、居室親機２において、呼出検出信号を受信したＣＰＵ２１５は、親機電源回路２１０を制御して、玄関子機１の構成各部／回路が動作可能な所定の電圧レベルの子機電源、例えば、ＤＣ１２Ｖの子機電源を生成させる。この子機電源は、非能動状態に制御されている逆光補正信号生成回路２１１、第１の親機インピーダンス制御回路２１２、伝送路Ｌを構成する電源・映像ラインＬ2を経由して玄関子機１の第１の子機インピーダンス制御回路１０９に供給される。
【００４１】
玄関子機１の第１の子機インピーダンス制御回路１０９は、伝送路Ｌを構成する電源・映像ラインＬ2に重畳されて供給されてきた子機電源を受電した後、第１の整流ダイオード１１１を経由して逆光補正信号検出回路１０３と、第２の整流ダイオード１１２を経由して充放電回路１１３とにそれぞれ供給する。また、充放電回路１１３は、第２の整流ダイオード１１２を経由して供給されてくる子機電源を充放電し、子機電源回路１１４に供給することにより、子機電源回路１１４は、受電した子機電源を動作電源として、当該玄関子機の構成各部／回路にそれぞれ供給することができる。なお、逆光補正信号検出回路１０３は、第１の整流ダイオード１１１を経由して供給されてくる子機電源の電圧レベルがＤＣ１２Ｖであり、後述する逆光補正信号を構成するカウント可能なパルス信号でないため、何ら動作を行うことはない。
【００４２】
次に、玄関子機１の子機電源回路１１４からの子機電源が動作電源となり能動にされたカメラ１０１は、呼出操作を行った来訪者の映像（玄関の周囲近傍の映像を含む。）の撮像を開始する。この映像は、映像信号生成回路１０２を経由して電気信号の映像信号に信号処理される。また、映像変調回路１０４は、映像信号生成回路１０２にて生成された映像信号をＦＭ変調する。また、映像変調回路１０４にてＦＭ変調された映像信号は、平衡映像信号として、伝送路Ｌを構成する電源・映像ラインＬ2、Ｌ3の２線間を伝送され、居室親機２の第１、第２の各親機インピーダンス制御回路２１２、２１３を経由してインピーダンス値が上昇された後、映像復調回路２０６にて受信される。
【００４３】
居室親機２の映像復調回路２０６は、玄関子機１からの平衡映像信号を復調し、出画内容切替回路２０８を経由してモニタ２０５に送出することにより、玄関子機１のカメラ１０１にて撮像された映像、すなわち、呼出操作を行った来訪者の映像（玄関の周囲近傍の映像を含む。）を、モニタ２０５に出画させることができる。
【００４４】
ここで、前述の呼出報知及び映像の出画をもとに、呼出操作を行った来訪者が泥棒等の不審者であると確認した居住者は、居室親機２の操作部２１４を使用して玄関子機１の戸外表示器１０８を点滅させるための操作を行うことができる。この操作を検出したＣＰＵ２１５は、表示器駆動回路２０９を制御して点滅駆動信号を生成させ、伝送路Ｌを構成する表示器駆動ラインＬ4を経由して玄関子機１の戸外表示器１０８に送出する。
【００４５】
玄関子機１の戸外表示器１０８は、居室親機２の表示器駆動回路２０９からの点滅駆動信号を受信すると点滅し、泥棒等の不審者に対して威嚇することができ防犯性が高められる。
【００４６】
次に、前述の呼出報知及び映像の出画をもとに、来訪者からの呼び出しがあることを当該来訪者の識別と併せて確認できた居住者は、居室親機２の操作部２１４を使用して当該呼び出しに応答するための操作を行うことができる。この操作を検出したＣＰＵ２１５は、呼出・通話切替回路２０６を制御して、伝送路Ｌを構成する呼出・通話ラインＬ1から呼出検出回路２００への接続を呼出・通話ラインＬ1及び親機通話回路２０３の間の接続に切り替えるとともに、親機通話回路２０３が能動となるように制御する。
【００４７】
この制御により、居住者が使用する居室親機２の親機マイク２０１から親機通話回路２０３、呼出・通話切替回路２０４、伝送路Ｌを構成する呼出・通話ラインＬ1、玄関子機１の子機通話回路１０７を経由して来訪者が使用する子機スピーカ１０６までの信号ライン（下り通話ライン）と、来訪者が使用する玄関子機１の子機マイク１０５から子機通話回路１０７、伝送路Ｌを構成する呼出・通話ラインＬ1、居室親機２の呼出・通話切替回路２０４、親機通話回路２０３を経由して居住者が使用する親機スピーカ２０２までの信号ライン（上り通話ライン）とがそれぞれ形成され、形成された各信号ラインを経由して音声信号を送受信させることで通話が成立し、居住者にとっては、モニタ２０５に出画されている来訪者の映像を確認しながら通話を成立させることができる。
【００４８】
次に、前述の呼出（呼出報知）時における居住者による応答前、又は居住者による応答の操作が行われた通話の成立中において、玄関子機１のカメラ１０１に入射される逆光の影響で、居室親機２のモニタ２０５に出画されている映像が例えば、背景の部分が白くなる一方、来訪者の顔の部分が黒くなり視認性が低くなると、これを確認した居住者は、居室親機２の操作部２１４を使用して逆光を補正するための操作を行うことができる。この操作を検出したＣＰＵ２１５は、計時機能が能動となり所定の時間（以下、逆光補正処理時間という。）の計時を開始し、この逆光補正処理時間内において、逆光補正信号生成回路２１１が能動となるように制御するとともに、出画内容切替回路２０８を制御して、映像復調回路２０６からモニタ２０５への信号ラインを画面生成回路２０７からモニタ２０５への信号ラインに切り替え、さらには、画面生成回路２０７にて所定の色の画面、例えば、黒色の画面、及び／又は逆光補正処理中であることの表示画面を生成させる。
【００４９】
この制御により、居室親機２の逆光補正信号生成回路２１１は、親機電源回路２１０にて生成される例えば、ＤＣ１２Ｖの子機電源の電圧値を変化、例えば、０．０１秒間０Ｖに変化させ、玄関子機１のカメラ１０１にて撮像される映像の逆光成分を補正するための信号として、カウント可能なパルス信号により構成される逆光補正信号を生成する。この逆光補正信号は、前述の子機電源と同様な信号ラインを経由して、玄関子機１の逆光補正信号検出回路１０３及び充放電回路１１３にそれぞれ伝送される。
【００５０】
ここで、玄関子機１の充放電回路１１３は、居室親機２からの逆光補正信号を受信すると、逆光補正信号生成回路２１１にて逆光補正信号が生成される前から当該充放電回路に予め充電されていたＤＣ１２Ｖの子機電源を放電し、子機電源回路１１４に供給することにより、カメラ１０１をはじめとした玄関子機１の構成各部／回路への動作電源を確保することができる。
【００５１】
また、玄関子機１の逆光補正信号検出回路１０３は、居室親機２からの逆光補正信号を受信すると、当該逆光補正信号を構成するパルス信号のカウント値をカウントして、映像信号生成回路１０２にて生成される映像信号の逆光成分を補正するように、当該映像信号生成回路を制御することができる。なお、逆光成分が補正された映像信号は、映像信号生成回路１０２から映像変調回路１０４、伝送路Ｌを構成する電源・映像ラインＬ2、Ｌ3の２線間を経由して居室親機２の映像復調回路２０６に伝送されるものの、逆光補正処理時間内において出画内容切替回路２０８を経由したモニタ２０５への接続が当該映像復調回路ではなく画面生成回路２０７に接続されていることから、この逆光補正処理時間内において、玄関子機１のカメラ１０１にて撮像され逆光成分の補正が行われた映像がモニタ２０５には出画されず、画面生成回路２０７にて生成された所定の色の画面、例えば、黒色の画面、及び／又は逆光補正処理中であることの表示画面が出画されることにより、居住者に不快感を与えずに前述の逆光成分の補正が可能となる。
【００５２】
さらに、居室親機２のＣＰＵ２１５にて計時される逆光補正処理時間がタイムアップとなると、これを検出したＣＰＵ２１５は、画面生成回路２０７及び逆光補正信号生成回路２１１がそれぞれ非能動となるように制御するとともに、出画内容切替回路２０８を制御して、画面生成回路２０７からモニタ２０５への信号ラインを映像復調回路２０６からモニタ２０５への信号ラインに切り替えることにより、モニタ２０５には、玄関子機１のカメラ１０１にて撮像され逆光成分の補正が行われた映像が出画されることから、視認性が高められる。
【００５３】
なお、本発明の実施例によるテレビドアホン装置においては、前述の逆光補正処理時間を計時する機能を居室親機２のＣＰＵ２１５に備えた場合について説明したが、この態様に限定されるものではなく、例えば、タイマ回路（図示せず。）として別途に居室親機２に設けることもできる。
【００５４】
また、本発明の実施例によるテレビドアホン装置においては、居室親機２のＣＰＵ２１５の制御により表示器駆動回路２０９にて生成される点滅駆動信号をもとに玄関子機１の戸外表示器１０８を点滅させるにあたり、そのトリガとして、居室親機２の操作部２１４の使用による操作（点滅操作）が適用されていたが、この態様に限定されるものではない。例えば、住戸内にて発生した火災やガス漏れ等のセキュリティ異常を検出した居室親機２のＣＰＵ２１５の制御により、表示器駆動回路２０９にて前述の点滅駆動信号を生成させ、玄関子機１の戸外表示器１０８を点滅することもできる。
【００５５】
さらに、本発明のテレビドアホン装置においては、特定の実施の形態をもって説明してきたが、この形態に限定されるものでなく、本発明の効果を奏する限り、これまで知られた如何なる構成のインターホンシステムであっても採用できるということはいうまでもないことである。
【図面の簡単な説明】
【００５６】
【図１】図１は、本発明の実施例によるテレビドアホン装置の具体的な構成を示す回路ブロック図である。
【符号の説明】
【００５７】
１……玄関子機
１０１……カメラ
１０２……映像信号生成回路
１０３……逆光補正信号検出回路
１１３……充放電回路
１１４……子機電源回路
２……居室親機
２０５……モニタ
２０７……画面生成回路
２１０……親機電源回路
２１１……逆光補正信号生成回路
２１４……操作部
２１５……ＣＰＵ
Ｌ……伝送路
【図１】
2008178032.tif 000003